(57)【特許請求の範囲】
【請求項１】
生体インプラントの表面に紫外線を照射すると共にオゾンを接触させることによって、当該生体インプラントを洗浄処理する生体インプラント用洗浄処理装置であって、
生体インプラントを洗浄処理する処理室およびこの処理室の上方に形成された当該処理室内のオゾンを除去するためのオゾン除去室を有する筐体と、
この筐体の前記処理室内において、生体インプラントの両側に配置された、生体インプラントに紫外線を照射する紫外線放射ランプと、
前記オゾン除去室内に配置されたオゾン除去フィルタと、
前記処理室内の雰囲気ガスを前記オゾン除去フィルタに導入する、前記生体インプラントの洗浄処理の終了に応じて駆動されるファンと
を備えてなり、
前記処理室および前記オゾン除去室を区画する金属よりなる隔壁を有し、前記紫外線放射ランプからの光による熱が当該金属よりなる隔壁を介して前記オゾン除去フィルタに伝達されることを特徴とする生体インプラント用洗浄処理装置。
【請求項２】
前記オゾン除去フィルタは、前記オゾン除去室内において前記ファンによって形成される風路上に配置されており、
前記ファンが駆動されることによって、前記処理室内の雰囲気ガスが前記オゾン除去室を介して循環されることを特徴とする請求項１に記載の生体インプラント用洗浄処理装置。
【請求項３】
前記筐体が金属よりなり、前記紫外線放射ランプからの光による熱が当該金属よりなる筐体を介して前記オゾン除去フィルタに伝達されることを特徴とする請求項１または請求項２に記載の生体インプラント用洗浄処理装置。
【請求項４】
前記処理室内に、前記紫外線放射ランプからの光を反射する金属よりなる反射鏡が配置されており、当該紫外線放射ランプからの光による熱が、当該反射鏡を介して前記オゾン除去フィルタに伝達されることを特徴とする請求項１乃至請求項３のいずれかに記載の生体インプラント用洗浄処理装置。
【請求項５】
前記ファンによって形成される風路上において、当該ファンに対してその上流側および下流側の両方に前記オゾン除去フィルタが配置されており、これらのオゾン除去フィルタの間に閉鎖空間が形成されていることを特徴とする請求項１乃至請求項４のいずれかに記載の生体インプラント用光照射装置。
【発明の詳細な説明】
【技術分野】
【０００１】
本発明は、生体インプラントに紫外線を照射すると共にオゾンを接触させることによって、当該生体インプラントを洗浄処理する生体インプラント用洗浄処理装置に関するものである。
【背景技術】
【０００２】
デンタルインプラントは、失われた歯の機能を代用させることを目的として顎骨に埋め込れるものである。そして、デンタルインプラント手術においては、デンタルインプラントが十分に骨と結合（オッセオインテグレーション）することが肝要であり、そのため、デンタルインプラントに紫外線を照射することによって、当該デンタルインプラントに付着した有機物を除去することが提案されている（特許文献１参照。）。
一方、光洗浄などに用いられる洗浄処理装置においては、被処理物が配置される処理室内の雰囲気ガス中に酸素が存在する場合には、当該酸素に紫外線が照射されることによってオゾンが生成されることにより、被処理物に対して紫外線の照射処理およびオゾンによる処理の両方が行われるため、それらの相乗作用によって、被処理物に付着した有機物を高い効率で除去することができる。
そして、紫外線およびオゾンによる洗浄処理は、デンタルインプラント以外の生体インプラント、例えば大腿骨インプラントなどに対しても、それらに付着した有機物を高い効率で除去することができる手段として期待されている。
【０００３】
而して、デンタルインプラント手術などの生体インプラント手術においては、生体インプラントに対する有機物等の再付着を防止するため、生体インプラントに対する紫外線照射処理が終了した後、当該生体インプラントが速やかに手術に供されることが肝要である。
しかしながら、生体インプラントの洗浄処理が終了した直後においては、当該生体インプラントが配置された処理室内の雰囲気ガスには、人体に有害なオゾンが含まれているため、生体インプラントを速やかに処理室内から取り出して手術に供することは実際上困難である。
また、オゾンの生成を防止するために、生体インプラントが配置される処理室内を例えば窒素ガスなどの不活性ガスによってパージする手段が考えられるが、このような手段では、被処理物に対してオゾンによる処理が行われないため、生体インプラントに付着した有機物を高い効率で除去することは困難である。
【先行技術文献】
【特許文献】
【０００４】
【特許文献１】特許第３０７２３７３号公報
【発明の開示】
【発明が解決しようとする課題】
【０００５】
本発明は、以上のような事情に基づいてなされたものであって、その目的は、生体インプラントに対する洗浄処理が終了した後、当該洗浄処理に用いられたオゾンを迅速に除去することができると共に、高い効率でオゾンの除去処理を行うことができる生体インプラント用洗浄処理装置を提供することにある。
【課題を解決するための手段】
【０００６】
本発明の生体インプラント用洗浄処理装置は、生体インプラントの表面に紫外線を照射すると共にオゾンを接触させることによって、当該生体インプラントを洗浄処理する生体インプラント用洗浄処理装置であって、
生体インプラントを洗浄処理する処理室およびこの処理室の上方に形成された当該処理室内のオゾンを除去するためのオゾン除去室を有する筐体と、
この筐体の前記処理室内において、生体インプラントの両側に配置された、生体インプラントに紫外線を照射する紫外線放射ランプと、
前記オゾン除去室内に配置されたオゾン除去フィルタと、
前記処理室内の雰囲気ガスを前記オゾン除去フィルタに導入する、前記生体インプラントの洗浄処理の終了に応じて駆動されるファンと
を備えてなり、
前記処理室および前記オゾン除去室を区画する金属よりなる隔壁を有し、前記紫外線放射ランプからの光による熱が当該金属よりなる隔壁を介して前記オゾン除去フィルタに伝達されることを特徴とする。
【０００７】
本発明の生体インプラント用洗浄処理装置においては、前記オゾン除去フィルタは、前記オゾン除去室内において前記ファンによって形成される風路上に配置されており、
前記ファンが駆動されることによって、前記処理室内の雰囲気ガスが前記オゾン除去室を介して循環されることが好ましい。
このような生体インプラント用洗浄処理装置においては、前記筐体が金属よりなり、前記紫外線放射ランプからの光による熱が当該金属よりなる筐体を介して前記オゾン除去フィルタに伝達されることが好ましい。
また、前記処理室内に、前記紫外線放射ランプからの光を反射する金属よりなる反射鏡が配置されており、当該紫外線放射ランプからの光による熱が、当該反射鏡を介して前記オゾン除去フィルタに伝達されてもよい。
また、前記ファンによって形成される風路上において、当該ファンに対してその上流側および下流側の両方に前記オゾン除去フィルタが配置されており、これらのオゾン除去フィルタの間に閉鎖空間が形成されていることが好ましい。
【発明の効果】
【０００８】
本発明の生体インプラント用洗浄処理装置によれば、洗浄処理の終了に応じてファンが駆動されることにより、生体インプラントが配置された筐体内の雰囲気ガスが、オゾン除去フィルタに導入され、これにより、当該雰囲気ガス中のオゾンが除去されるので、生体インプラントに対する洗浄処理が終了した後、筐体内の雰囲気ガス中に含まれるオゾンを迅速に除去することができると共に、オゾン除去フィルタが、紫外線放射ランプからの光による熱が伝達されることによって加熱されるため、当該オゾン除去フィルタにおけるオゾン除去用触媒の活性が高められる結果、高い効率でオゾンの除去処理を行うことができる。
【図面の簡単な説明】
【０００９】
【図１】本発明の生体インプラント用洗浄処理装置の一例における筐体内部の構成を示す説明用正面図である。
【図２】本発明の生体インプラント用洗浄処理装置の一例における筐体内部の構成を示す説明用側面図である。
【図３】本発明の生体インプラント用洗浄処理装置の一例におけるオゾン除去室の平面図である。
【図４】本発明の生体インプラント用洗浄処理装置の他の例における筐体内部の構成を示す説明用正面図である。
【図５】本発明の生体インプラント用洗浄処理装置の他の例における筐体内部の構成を示す説明用側面図である。
【図６】生体インプラント用洗浄処理装置の参考例における筐体内部の構成を示す説明用側面図である。
【発明を実施するための形態】
【００１０】
図１は、本発明の生体インプラント用洗浄処理装置の一例における筐体内部の構成を示す説明用正面図、図２は、本発明の生体インプラント用洗浄処理装置の一例における筐体内部の構成を示す説明用側面図、図３は、本発明の生体インプラント用洗浄処理装置の一例におけるオゾン除去室の平面図である。
この生体インプラント用洗浄処理装置（以下、単に「洗浄処理装置」ともいう。）は、ピン状のデンタルインプラント（以下、単に「インプラント」ともいう。）１に紫外線を照射すると共にオゾンを接触させることによって当該インプラント１を洗浄処理するためのものである。図示の例では、インプラント１の各々は、その一端部に螺旋状に形成された突条３よりなる螺子部２を有するスクリュータイプのものである。
この洗浄処理装置においては、正面に開閉扉（図示省略）を有する全体の輪郭が直方体状の筐体１０が設けられ、この筐体１０の内部には、複数のインプラント１が配置される処理室１１が形成されていると共に、この処理室１１の上方に、当該処理室１１内の雰囲気ガス中に含まれるオゾンを除去するオゾン除去室１２が形成されており、処理室１１およびオゾン除去室１２は、互いに隔壁１５によって区画されている。この隔壁１５は、筐体１０における正面側壁部１０ａおよび背面側壁部１０ｂの各々に離間して配置されており、これにより、筐体１０における正面側壁部１０ａと隔壁１５との間には、処理室１１からオゾン除去室１２にガスが流入する流入口Ｆ１が形成され、筐体１０における背面側壁部１０ｂと隔壁１５との間には、オゾン除去室１２から処理室１１にガスが流出する流出口Ｆ２が形成されている。
【００１１】
筐体１０の処理室１１内には、複数のインプラント１が一方向（図１において紙面に垂直な方向、図２において左右方向）に沿って並ぶよう配置されて保持されるステージ２０が設けられている。具体的には、ステージ２０の表面２１には、それぞれインプラント１の他端部の外径に適合する内径の凹所よりなる複数の保持部２２が一方向に沿って並ぶよう形成されており、これらの保持部２２の各々に、インプラント１がその螺子部２の先端が上方を向くよう垂立した姿勢で当該インプラント１の他端部が挿入されて保持されることにより、複数のインプラント１が一方向に沿って並ぶよう配置されている。
また、図示の例では、ステージ２０の表面は例えば鏡面加工が施されることによって後述する紫外線放射ランプ３０からの紫外線を反射する光反射面とされている。
また、ステージ２０は、筐体１０に対して着脱自在に設けられていてもよい。このような構成によれば、ステージ２０を筐体１０の外部に取り出すことが可能となるため、ステージ２０に対するインプラント１の取り付け作業、取り外し作業または交換作業を容易に行うことができる。
【００１２】
このステージ２０に保持された複数のインプラント１からなるインプラント群１Ｇにおける当該インプラント１が並ぶ一方向に平行な両側には、２つの紫外線放射ランプ３０が設けられている。具体的に説明すると、紫外線放射ランプ３０の各々は、それぞれインプライト１が並ぶ一方向に伸びる２つの直線状部分３２が湾曲部分３３によって連結されてなるＵ字管状の発光管３１を有し、２つの紫外線照射ランプ３０は、それぞれ発光管３１の２つの直線状部分３２の各々が互いに上下に位置する姿勢で、インプラント１における螺子部２およびその周辺の空間領域を介して、互いに対向するよう配置されている。また、紫外線放電ランプ３０の各々と筐体１０の側壁部１０ｃ，１０ｄとの間には、紫外線放射ランプ３０からの紫外線を反射する、断面がコ字形の樋状の２つの反射鏡４０が、その背面が筐体１０の側壁部１０ｃ，１０ｄに接した状態で当該紫外線放射ランプ３０と対向するよう配置されている。
【００１３】
図示の例では、筐体１０、隔壁１５およびステージ２０の各々は、例えばステンレス等の金属によって構成されており、また、反射鏡４０は例えばアルミニウム等の金属により構成されている。
【００１４】
紫外線放射ランプ３０としては、波長２５４ｎｍおよび波長１８５ｎｍの紫外線を放射する低圧水銀ランプを用いることができる。また、紫外線放射ランプ３０からの紫外線の照度は、例えば発光管３１の管壁から１０ｍｍ離間した位置において約６ｍＷ／ｃｍ2 以上である。
紫外線放射ランプ３０として用いられる低圧水銀ランプの一例の仕様を挙げると、発光管が合成石英ガラス製で、発光長が２００ｍｍ、ランプ入力が２５Ｗである。
【００１５】
筐体１０のオゾン除去室１２内には、処理室１１内の雰囲気ガスを当該オゾン除去室１２を介して循環させるファン１６が配置されていると共に、このファン１６によって形成される循環風路上において、当該ファン１６に対してその上流側および下流側の各々に、矩形の板状のオゾン除去フィルタ１７が配置されている。オゾン除去フィルタ１７の各々は、その４つの側面が筐体１０の側壁部１０ｃ，１０ｄおよび上壁部１０ｅ並びに隔壁１５に接する状態でオゾン除去室１２に圧入されることによって固定されており、これにより、２つのオゾン除去フィルタ１７の間には閉鎖空間Ｓが形成されている。
このオゾン除去フィルタ１７は、例えば無機繊維ペーパーにより形成されたハニカム構造体からなる基体に、例えばマンガン化合物よりなるオゾン除去用触媒が担持されてなるものである。
【００１６】
このような洗浄処理装置においては、ステージ２０の保持部２２の各々に、インプラント１をその螺子部２の先端が上方を向くよう垂立した姿勢で保持させ、この状態で、紫外線放射ランプ３０の各々を点灯させることにより、インプラント１における螺子部２を形成する突条３に対して、当該紫外線放射ランプ３０からの紫外線が直接照射されると共に反射鏡４０およびステージ２０の表面の各々に反射されて照射される結果、当該突条３の表面全面に紫外線が照射され、更に、処理室１１内の雰囲気ガス中の酸素に紫外線放射ランプ３０からの紫外線が照射されることによって、当該処理室１１内にはオゾンが生成されてインプラント１の螺子部２に接触する。このように、インプラント１の螺子部２を形成する突条３の表面全面すなわち突条３の上面３ａおよび下面３ｂの両方にに紫外線が照射されると共に、当該螺子部２にオゾンが接触することにより、当該インプラント１の螺子部２に付着した有機物が分解除去され、これにより、インプラント１の洗浄処理が達成される。
一方、隔壁１５および反射鏡４０の各々は、紫外線放射ランプ３０からの光が照射されることによって加熱されるが、隔壁１５が金属よりなるために当該隔壁１５に生じた熱がオゾン除去フィルタ１７に伝達されると共に、反射鏡４０および筐体１０の各々が金属よりなるために当該反射鏡４０に生じた熱が当該筐体１０を介してオゾン除去フィルタ１７に伝達され、これにより、当該オゾン除去フィルタ１７が加熱される。
【００１７】
そして、紫外線放射ランプ３０が消灯することによってインプラント１の洗浄処理が終了し、当該洗浄処理の終了に応じてファン１６が駆動されることにより、処理室１１内の雰囲気ガスがオゾン除去室１２内に配置されたオゾン除去フィルタ１７を介して循環される結果、処理室１１内に発生したオゾンが除去され、その後、処理室１１内からインプラント１が取り出される。
【００１８】
以上において、紫外線放射ランプ３０からの紫外線の照射時間は、例えば５〜３０分間である。
また、処理室１１内における紫外線が照射されることによって生成されるオゾンの濃度は、１００ｐｐｍ以上であることが好ましく、より好ましくは２００〜４００ｐｐｍである。
また、ファン１６は、インプラント１の洗浄処理の終了（図示の例では紫外線照射ランプ３０の消灯）に応じて駆動されるが、ファン１６が駆動されるタイミングは、インプラント１の洗浄処理の終了と同時であっても、インプラント１の洗浄処理が終了する前若しくは終了した後であってもよい。
また、ファン１６の作動時間すなわちオゾンの除去処理時間は、オゾン除去フィルタ１７のオゾン除去処理能を考慮して適宜設定されるが、例えば１０〜３００秒間である。
また、処理室１１内におけるオゾンの除去処理が終了したときのオゾンの濃度は、０．１ｐｐｍ以下であることが好ましい。
また、オゾン除去フィルタ１７は、紫外線放射ランプ３０からの光による熱が隔壁１５並びに反射鏡４０および筐体１０を介して伝達されることによって加熱されるが、当該オゾン除去フィルタ１７の温度は、例えば紫外線放射ランプ３０の消灯時において５０〜６０℃である。
【００１９】
上記の洗浄処理装置によれば、洗浄処理の終了に応じてファン１６が駆動されることにより、インプラント１が配置された処理室１１内の雰囲気ガスが、オゾン除去室１２内におけるオゾン除去フィルタ１７を介して循環され、これにより、当該雰囲気ガス中のオゾンが除去されるので、生体インプラント１に対する洗浄処理が終了した後、処理室１１内の雰囲気ガス中に含まれるオゾンを迅速に除去することができる。
また、オゾン除去フィルタ１７は、紫外線放射ランプ３０からの光による熱が隔壁１５並びに反射鏡４０および筐体１０を介して伝達されることによって加熱されるため、当該オゾン除去フィルタ１７におけるオゾン除去用触媒の活性が高められる結果、高い効率でオゾンの除去処理を行うことができる。
また、ファン１６によって形成される循環風路上において、当該ファン１６に対してその上流側および下流側の両方に、オゾン除去フィルタ１７が配置されており、これらの２つのオゾン除去フィルタ１７に閉鎖空間Ｓが形成されているため、ファン１６に高濃度のオゾンを含むガスが接触することを防止することができ、従って、ファン１６の一部の部品がオゾンによって腐食しやすい材料例えば樹脂材料により構成されていても、当該部品のオゾンによる腐食を防止することができる。
【００２０】
図４は、本発明の生体インプラント用洗浄処理装置の他の例における筐体内部の構成を示す説明用正面図であり、図５は、本発明の生体インプラント用洗浄処理装置の他の例における筐体内部の構成を示す説明用側面図である。
この洗浄処理装置においては、一面にステージ２０が収容される開口が形成された、紫外線放射ランプ３０からの紫外線を反射する矩形の筒状の反射鏡４０が、その側面が筐体１０の側壁部１０ｃ，１０ｄに接し、その上面が隔壁１５から離間した状態で、ステージ２０、当該ステージ２０に保持された複数のインプラント１からなるインプラント群Ｇ１、および紫外線放射ランプ３０を取り囲むよう配置されている。その他の構成は、図１乃至図３に示す洗浄処理装置と同様である。
【００２１】
このような洗浄処理装置においては、ステージ２０の保持部２２の各々に、インプラント１をその螺子部２の先端が上方を向くよう垂立した姿勢で保持させ、この状態で、紫外線放射ランプ３０の各々を点灯させることにより、インプラント１における螺子部２を形成する突条３に対して、当該紫外線放射ランプ３０からの紫外線が照射されると共に反射鏡４０およびステージ２０の表面の各々に反射されて照射される結果、当該突条３の表面全面に紫外線が照射され、更に、処理室１１内の雰囲気ガス中の酸素に紫外線放射ランプ３０からの紫外線が照射されることによって、当該処理室１１内にはオゾンが生成されてインプラント１の螺子部２に接触する。このように、インプラント１の螺子部２を形成する突条３の表面全面すなわち突条３の上面３ａおよび下面３ｂの両方に紫外線が照射されると共に、当該螺子部２にオゾンが接触することにより、当該インプラント１の螺子部２に付着した有機物が分解除去され、これにより、インプラント１の洗浄処理が達成される。
一方、反射鏡４０は、紫外線放射ランプ３０からの光が照射されることによって加熱されるが、反射鏡４０および筐体１０の各々が金属よりなるために当該反射鏡４０に生じた熱が当該筐体１０を介してオゾン除去フィルタ１７に伝達され、これにより、当該オゾン除去フィルタ１７が加熱される。
【００２２】
そして、紫外線放射ランプ３０が消灯することによってインプラント１の洗浄処理が終了し、当該洗浄処理の終了に応じてファン１６が駆動されることにより、処理室１１内の雰囲気ガスがオゾン除去室１２内に配置されたオゾン除去フィルタ１７を介して循環される結果、処理室１１内に発生したオゾンが除去され、その後、処理室１１内からインプラント１が取り出される。
【００２３】
以上において、紫外線放射ランプ３０からの紫外線の照射時間、処理室１１内におけるオゾンの濃度、ファン１６が駆動されるタイミング、ファン１６の作動時間、処理室１１内におけるオゾンの除去処理が終了したときのオゾンの濃度、オゾン除去フィルタ１７の温度は、図１乃至図３に示す洗浄処理装置と同様である。
【００２４】
上記の洗浄処理装置によれば、洗浄処理の終了に応じてファン１６が駆動されることにより、インプラント１が配置された処理室１１内の雰囲気ガスが、オゾン除去室１２内におけるオゾン除去フィルタ１７を介して循環され、これにより、当該雰囲気ガス中のオゾンが除去されるので、生体インプラント１に対する洗浄処理が終了した後、処理室１１内の雰囲気ガス中に含まれるオゾンを迅速に除去することができる。
また、オゾン除去フィルタ１７は、紫外線放射ランプ３０からの光による熱が反射鏡４０および筐体１０を介して伝達されることによって加熱されるため、当該オゾン除去フィルタ１７におけるオゾン除去用触媒の活性が高められる結果、高い効率でオゾンの除去処理を行うことができる。
また、ファン１６によって形成される循環風路上において、当該ファン１６に対してその上流側および下流側の両方に、オゾン除去フィルタ１７が配置されており、これらの２つのオゾン除去フィルタ１７に閉鎖空間Ｓが形成されているため、ファン１６に高濃度のオゾンを含むガスが接触することを防止することができ、従って、ファン１６の一部の部品がオゾンによって腐食しやすい材料例えば樹脂材料により構成されていても、当該部品のオゾンによる腐食を防止することができる。
【００２５】
図６は、生体インプラント用洗浄処理装置の参考例における筐体内部の構成を示す説明用側面図である。
この洗浄処理装置においては、正面側壁部１０ａが開閉扉により構成された全体の輪郭が直方体状の金属よりなる筐体１０が設けられ、この筐体１０の内部には、図１に示す洗浄処理装置と同様の構成のステージ２０が設けられている。
このステージ２０に保持された複数のインプラント１からなるインプラント群１Ｇにおける当該インプラント１が並ぶ一方向に平行な両側には、図１に示す洗浄処理装置と同様の構成の２つの紫外線放射ランプ３０が、それぞれ発光管３１の２つの直線状部分３２の各々が互いに上下に位置する姿勢で、インプラント１における螺子部２およびその周辺の空間領域を介して、互いに対向するよう配置されている。
【００２６】
筐体１０における背面側壁部１０ｂには、筐体１０内の雰囲気ガスを外部に排出する排出口Ｅが形成され、この排出口Ｅにファン１６が配置されており、このファン１６に対向するよう、図１に示す洗浄処理装置と同様の構成のオゾン除去フィルタ１７が配置されている。具体的には、オゾン除去フィルタ１７は、その４つの側面が筐体１０の上壁部１０ｅ、下壁部１０ｆおよび２つの側壁部の各々に接する状態で当該筐体１０内に圧入されることによって固定されており、これにより、筐体１０の正面側壁部１０ｂとオゾン除去フィルタ１７との間には閉鎖空間Ｓが形成されている。
【００２７】
このような洗浄処理装置においては、ステージ２０の保持部２２の各々に、インプラント１をその螺子部２の先端が上方を向くよう垂立した姿勢で保持させ、この状態で、紫外線放射ランプ３０の各々を点灯させることにより、インプラント１における螺子部２を形成する突条３に対して、当該紫外線放射ランプ３０からの紫外線が照射され、更に、筐体１０内の雰囲気ガス中の酸素に紫外線放射ランプ３０からの紫外線が照射されることによって、当該筐体１０内にはオゾンが生成されてインプラント１の螺子部２に接触する。このように、インプラント１の螺子部２を形成する突条３に紫外線が照射されると共に、当該螺子部２にオゾンが接触することにより、当該インプラント１の螺子部２に付着した有機物が分解除去され、これにより、インプラント１の洗浄処理が達成される。
一方、筐体１０は、紫外線放射ランプ３０からの光が照射されることによって加熱されるが、筐体１０が金属よりなるために当該筐体１０に生じた熱がオゾン除去フィルタ１７に伝達されると共に、紫外線放射ランプ３０からの光がオゾン除去フィルタ１７に照射されることにより、当該オゾン除去フィルタ１７が加熱される。
【００２８】
そして、紫外線放射ランプ３０が消灯することによってインプラント１の洗浄処理が終了し、当該洗浄処理の終了に応じてファン１６が駆動されることにより、筐体１０内の雰囲気ガスがオゾン除去フィルタ１７に導入される結果、筐体１０内に発生したオゾンが除去され、その後、筐体１０内からインプラント１が取り出される。
【００２９】
上記の洗浄処理装置によれば、洗浄処理の終了に応じてファン１６が駆動されることにより、インプラント１が配置された筐体１０内の雰囲気ガスが、オゾン除去フィルタ１７に導入されることにより、当該雰囲気ガス中のオゾンが除去されるので、生体インプラント１に対する洗浄処理が終了した後、筐体１０内の雰囲気ガス中に含まれるオゾンを迅速に除去することができる。
また、オゾン除去フィルタ１７は、紫外線放射ランプ３０からの光による熱が筐体１０を介して伝達されると共に紫外線放射ランプ３０からの光が照射されることによって加熱されるため、当該オゾン除去フィルタ１７におけるオゾン除去用触媒の活性が高められる結果、高い効率でオゾンの除去処理を行うことができる。
また、ファン１６が設けられた筐体１０の背面側壁部１０ｂとオゾン除去フィルタ１７との間には閉鎖空間Ｓが形成されているため、ファン１６に高濃度のオゾンを含むガスが接触することを防止することができ、従って、ファン１６の一部の部品がオゾンによって腐食しやすい材料例えば樹脂材料により構成されていても、当該部品のオゾンによる腐食を防止することができる。
【００３０】
以上、本発明の洗浄処理装置の実施の形態について説明したが、本発明は、これらの実施の形態に限定されず、種々の変更を加えることが可能である。
例えば、紫外線放射ランプ３０としては、空気中の酸素からオゾンを生成し得る紫外線を放射するものであれば、低圧水銀ランプに限られず、例えばキセノンガス等が封入されたエキシマランプなどを用いることができる。
また、紫外線放射ランプ３０および反射鏡４０の形態および配置位置は、図１乃至図５に示すものに限られず、適宜設計することができ、例えば紫外線放射ランプ３０の発光管３１の形状は、直管状のものであっても全体が直方体状のものであってもよい。
また、上記の実施の形態に係る洗浄処理装置においては、筐体１０、隔壁１５および反射鏡４０の各々が金属よりなるものであり、紫外線放射ランプ３０からの光による熱は、図１乃至図３に示す洗浄処理装置においては筐体１０、隔壁１５および反射鏡４０を介してオゾン除去フィルタ１７に伝達され、図４および図５に示す洗浄処理装置においては筐体１０および反射鏡４０を介してオゾン除去フィルタ１７に伝達されるが、筐体１０、隔壁１５および反射鏡４０のいずれか一つによって伝達されてもよく、この場合には、筐体１０、隔壁１５および反射鏡４０のうち、オゾン除去フィルタ１７に対する熱伝達に寄与するもののみが金属により構成されていればよく、その他のものは、金属以外の適宜の材料によって構成されていてもよい。
また、ステージ２０が、紫外線放射ランプ３０からの光が照射されることによって加熱され、当該ステージ２０に生じた熱が筐体１０を介してオゾン除去フィルタ１７に伝達される構成であってもよい。
また、紫外線放射ランプ３０からの直接光のみによって、インプラント１に対する所要の紫外線照射が達成されれば、反射鏡４０は不要である。
また、上記の実施の形態に係る洗浄処理装置はいずれも、処理対象物であるインプラント１を洗浄処理するためオゾンが、紫外線放射ランプ３０からの紫外線によって生成されるものであるが、紫外線放射ランプ３０とは別個に例えば高周波や高電圧による放電を利用したオゾン発生機が設けられ、当該オゾン発生機から発生したオゾンを、インプラント１に接触させる構成であってもよい。
また、本発明の洗浄処理装置の処理対象物はデンタルインプラントに限られず、大腿骨インプラントなどの他の生体インプラントであってもよい。
【符号の説明】
【００３１】
１    インプラント
１Ｇ  インプラント群
２    螺子部
３    突条
３ａ  上面
３ｂ  下面
１０  筐体
１０ａ  正面側壁部
１０ｂ  背面側壁部
１０ｃ，１０ｄ  側壁部
１０ｅ  上壁部
１０ｆ  下壁部
１１  処理室
１２  オゾン除去室
１５  隔壁
１６  ファン
１７  オゾン除去フィルタ
２０  ステージ
２１  表面
２２  保持部
３０  紫外線放射ランプ
３１  発光管
３２  直線状部分
３３  湾曲部分
４０  反射鏡
４１  平面ミラー
Ｅ  排出口
Ｆ１  流入口
Ｆ２  流出口
Ｓ  閉鎖空間
【図１】
0005423634.tif 000002
【図２】
0005423634.tif 000003
【図３】
0005423634.tif 000004
【図４】
0005423634.tif 000005
【図５】
0005423634.tif 000006
【図６】
0005423634.tif 000007